(57)【要約】【課題】モニタ付居室親機の増設親機用接続端子にインターホンアダプタを接続することによって、特殊なモニタを必要とせず、増設親機が接続されている場合と同様に通話が開始され、電話機応答ができるインターホンシステムを提供する。【解決手段】カメラ付インターホン子機（１）、モニタ付居室親機（２）、電話機（４）、カメラなしインターホン子機（３）を備え、第１の音声信号を送受するための親機ＩＦ（５１）、第２の音声信号を送受するための子機ＩＦ（５２）、映像信号を遮断するフィルタ（５３）、音声信号を切り替える通話路切替部（５４）、音声信号レベルを電話機に伝送可能なレベルに調整するレベル調整部（５５）、電話機接続端子（５６）、モニタ付居室親機に対して増設親機からのコマンドであるかのように信号をシミュレートし、通話路切替部及びレベル調整部を制御する制御部（５９）とを有するインターホンアダプタ（５）を備えている。【選択図】図１
2008219115.tif 000002
【特許請求の範囲】
【請求項１】
玄関に設置されるカメラ付インターホン子機（１）と、前記カメラ付インターホン子機のカメラからの映像をモニタで出画し、前記カメラ付インターホン子機からの呼出に応答して通話を行なうとともに、室内に増設親機を接続可能な増設親機接続端子（２２）を有するモニタ付居室親機（２）と、前記カメラ付インターホン子機からの呼出に応答して通話を行なうインターホン入力端子（４１）を有する電話機（４）と、勝手口等の他の玄関に設置され、前記電話機を呼出して通話を行なうカメラなしインターホン子機（３）とを備え、
前記モニタ付居室親機と接続して第１の音声信号を送受するための親機インターフェース（５１）と、前記カメラなしインターホン子機と接続して第２の音声信号を送受するための子機インターフェース（５２）と、前記親機インターフェースからの映像信号を遮断するフィルタ（５３）と、前記第１の音声信号と前記第２の音声信号を切り替える通話路切替部（５４）と、前記第１の音声信号と前記第２の音声信号のそれぞれの音声信号レベルを前記電話機に伝送可能なレベルに調整するレベル調整部（５５）と、前記電話機と接続して第１または第２の音声信号を送受するための電話機接続端子（５６）と、前記モニタ付居室親機に対して増設親機からのコマンドであるかのように信号をシミュレートするとともに、前記通話路切替部及び前記レベル調整部を制御する制御部（５９）とを有するインターホンアダプタ（５）を備えたことを特徴とするインターホンシステム。
【請求項２】
前記インターホンアダプタは、前記親機インターフェースと、前記子機インターフェースと、前記フィルタと、前記制御部とからなる第１のグループ及び前記通話路切替部と、前記レベル調整部と、前記電話機接続端子とからなる第２のグループから構成され、
前記第１のグループ及び前記第２のグループは、トランスからなるアイソレーション部品（６０）、及びリレー、フォトカプラ等からなるアイソレーション部品（６１）の少なくとも一つによって電気的に絶縁されていることを特徴とする請求項１記載のインターホンシステム。
【請求項３】
前記インターホンアダプタは、トランス式電源回路（５７）と、公衆回線接続回路（５８ａ、５８ｂ）を備え、
前記トランス式電源回路は、前記第１のグループ及び前記第２のグループでそれぞれ独立した二次側巻線を使用することによって電気的に絶縁され、
前記公衆回線接続回路は、前記インターホンアダプタ内で他の端子と結線されずに通過させることで電気的に絶縁されることを特徴とする請求項２記載のインターホンシステム。
【請求項４】
前記制御部は、前記電話機に前記カメラ付インターホン子機または前記カメラなしインターホン子機からの呼出信号を送出する出力端子と、前記電話機からの音声モニタ指示信号を入力する入力端子とを備え、前記呼出信号又は前記音声モニタ指示信号によって前記通話路切替部を切り替えることを特徴とする請求項１乃至請求項３何れか１項記載のインターホンシステム。
【請求項５】
前記モニタ付居室親機は、前記インターホンアダプタから応答信号或いはモニタ要求信号が送出されたときモニタ（２１）を点灯させることを特徴とする請求項１乃至請求項４何れか１項記載のインターホンシステム。
【発明の詳細な説明】
【技術分野】
【０００１】
本発明はインターホンシステムに係り、特にインターホン子機と電話機を接続するインターホンアダプタを備えたインターホンシステムに関する。
【背景技術】
【０００２】
従来から、カメラ付インターホン子機、モニタ付居室親機、モニタ付増設親機が接続され、カメラ付インターホン子機の通話装置とモニタ付居室親機の通話装置、モニタ付増設親機の通話装置との間で通話を行うインターホンシステムが知られている（例えば、特許文献１参照）。
【０００３】
このようなインターホンシステムでは、居室親機に増設親機が接続された場合に、増設親機の接続の有無を自動的に検出することが行われている。
【０００４】
ところで、最近では上記のようなインターホンシステムに電話機を接続したシステムも考えられている。このような電話機を接続したインターホンシステムとして、従来からカメラ付ドアホン、通話機能のないテレビモニタ、ドアホンアダプタ、電話機を直列接続して電話機で呼出しに応答するものがある（例えば、特許文献２参照）。
【０００５】
上記電話機が接続されたインターホンシステムにおいては、呼出時にテレビモニタが呼出信号によって出画するとともに、テレビモニタが呼出信号をドアホンアダプタに伝送して呼出信号を電話機に送っていた。
【０００６】
【特許文献１】特開２００６−２７９７８７号公報
【特許文献２】特開平８−２２３３０４号公報
【発明の開示】
【発明が解決しようとする課題】
【０００７】
しかしながら、特許文献１に記載されたインターホン装置では、居室親機に増設親機が接続された場合に、増設親機の有無を自動的に検出できるようになっているが、増設親機以外の機器が接続された場合には通話路が形成されないという問題があった。
【０００８】
また、特許文献２に記載されたインターホンシステムでは、呼出信号を受信してさらにドアホンアダプタに当該呼出信号を送出する特殊なテレビモニタが必要であり、コスト高の原因となっていた。
【０００９】
本発明は、上述の難点を解消するためになされたもので、モニタ付居室親機の増設親機用接続端子にインターホンアダプタを接続することによって、特殊なテレビモニタを使用することなく、低コストでかつ増設親機を接続した場合と同様に電話機応答ができるインターホンシステムを提供することを目的としている。
【課題を解決するための手段】
【００１０】
上述の目的を達成するため、本発明のインターホンシステムの第１の態様は、玄関に設置されるカメラ付インターホン子機と、カメラ付インターホン子機のカメラからの映像をモニタで出画し、カメラ付インターホン子機からの呼出に応答して通話を行なうとともに、室内に増設親機を接続可能な増設親機接続端子（２２）を有するモニタ付居室親機と、カメラ付インターホン子機からの呼出に応答して通話を行なうインターホン入力端子を有する電話機と、勝手口等の他の玄関に設置され、電話機を呼出して通話を行なうカメラなしインターホン子機とを備え、モニタ付居室親機と接続して第１の音声信号を送受するための親機インターフェースと、カメラなしインターホン子機と接続して第２の音声信号を送受するための子機インターフェースと、親機インターフェースからの映像信号を遮断するフィルタと、第１の音声信号と第２の音声信号を切り替える通話路切替部と、第１の音声信号と第２の音声信号のそれぞれの音声信号レベルを電話機に伝送可能なレベルに調整するレベル調整部と、電話機と接続して第１または第２の音声信号を送受するための電話機接続端子と、モニタ付居室親機に対して増設親機からのコマンドであるかのように信号をシミュレートするとともに、通話路切替部及びレベル調整部を制御する制御部とを有するインターホンアダプタを備えたことを特徴とする。
【００１１】
また、本発明のインターホンシステムの第２の態様は、第１の態様において、インターホンアダプタは、親機インターフェースと、子機インターフェースと、フィルタと、制御部とからなる第１のグループ及び通話路切替部と、レベル調整部と、電話機接続端子とからなる第２のグループから構成され、第１のグループ及び第２のグループは、トランスからなるアイソレーション部品、及びリレー、フォトカプラ等からなるアイソレーション部品の少なくとも一つによって電気的に絶縁されていることを特徴とする。
【００１２】
さらに、本発明のインターホンシステムの第３の態様は、第２の態様において、インターホンアダプタは、トランス式電源回路と、公衆回線接続回路を備え、トランス式電源回路は、第１のグループ及び第２のグループでそれぞれ独立した二次側巻線を使用することによって電気的に絶縁され、公衆回線接続回路は、インターホンアダプタ内で他の端子と結線されずに通過させることで電気的に絶縁されることを特徴とする。
【００１３】
また、本発明のインターホンシステムの第４の態様は、第１から第３の態様において、制御部は、電話機にカメラ付インターホン子機またはカメラなしインターホン子機からの呼出信号を送出する出力端子と、電話機からの音声モニタ指示信号を入力する入力端子とを備え、呼出信号又は音声モニタ指示信号によって通話路切替部を切り替えることを特徴とする。
【００１４】
さらに、本発明のインターホンシステムの第５の態様は、第１から第４の態様において、モニタ付居室親機は、インターホンアダプタから応答信号或いはモニタ要求信号が送出されたときモニタを点灯させることを特徴とする。
【発明の効果】
【００１５】
本発明のインターホンシステムの第１の態様によれば、従来からあるモニタ付居室親機とカメラ付インターホン子機にインターホンアダプタを追加するのみで電話機での着信が可能になり、コードレス通話が容易に可能になるとともに、インターホン子機が１台しか接続できないインターホンシステムに容易に追加子機が接続可能となる。
【００１６】
本発明のインターホンシステムの第２及び第３の態様によれば、電話機回路とインターホン回路が電気的に絶縁されており、雷等による過電圧を防止することができる。
【００１７】
本発明のインターホンシステムの第４の態様によれば、インターホン子機からの呼出しだけでなく、電話機側からのインターホン子機の音声モニタが可能となる。
【００１８】
本発明のインターホンシステムの第５の態様によれば、通話時にもモニタ親機の映像が消えることがなくなる。
【発明を実施するための最良の形態】
【００１９】
以下、本発明のインターホンシステムを適用した好ましい実施の形態について、図面を参照して説明する。
【００２０】
図１は、本発明のインターホンシステムのシステム構成図である。
【００２１】
図１に示すインターホンシステムは、正面玄関に設置されたカメラ付インターホン子機１と、居室に設置されたモニタ付居室親機２と、勝手口に設置されたカメラなしインターホン子機３と、モニタ付居室親機２の近傍に設置されたコードレス電話機を含む電話機４と、同じくモニタ付居室親機２の近傍に設置されたインターホンアダプタ５から構成されている。なお、モニタ付居室親機２には増設親機接続端子２２が設けられている。また、電話機４にはインターホン入力端子４１が設けられている。
【００２２】
カメラ付インターホン子機１は、モニタ付居室親機２の増設親機接続端子２２を介してインターホンアダプタ５に、またカメラなしインターホン子機３は直接インターホンアダプタ５に接続されており、インターホンアダプタ５は電話機４と接続されている。
【００２３】
ここで、インターホンアダプタ５の内部構成のブロック図を図２にて示す。
【００２４】
図２において、インターホンアダプタ５にはモニタ付居室親機２と接続して正面玄関の音声及びデータ信号を送受するための親機インターフェース（ＩＦ）５１と、カメラなしインターホン子機３と接続して勝手口の音声信号を送受するための子機インターフェース５２と、親機インターフェース５１と接続され、親機インターフェース５１からの映像信号を遮断するフィルタ５３と、子機インターフェース５２及びフィルタ５３と接続され、正面玄関の音声信号と勝手口の音声信号を切り替える通話路切替部５４と、通話路切替部５４と接続され、モニタ付居室親機２からの第１の音声信号とカメラなしインターホン子機３からの第２の音声信号のそれぞれの音声信号レベルを電話機に伝送可能なレベルに調整するレベル調整部５５と、レベル調整部５５と接続され、また電話機４に接続して正面玄関または勝手口の音声及びデータ信号を送受するための電話機接続端子５６と、インターホンアダプタ５の回路各部に電源を供給するために制御部５９に接続されるトランス式電源回路５７と、公衆回線と電話機を接続するための公衆回線接続回路５８ａ、５８ｂと、モニタ付居室親機２に対して増設親機からのコマンドであるかのように信号をシミュレートするとともに、通話路切替部５４及びレベル調整部５５に接続されてこれらを制御する制御部５９とが備えられている。
【００２５】
なお、制御部５９は、親機インターフェース５１、子機インターフェース５２、フィルタ５３及び電話機接続端子５６ともそれぞれ接続されている。
【００２６】
インターホンアダプタ５の内部回路は、インターホン側と電話機側で絶縁されており、電話機側から雷サージ等の過電圧が入った場合にもインターホンを保護する構造になっている。
【００２７】
具体的には、インターホン側には親機インターフェース５１と、子機インターフェース５２と、フィルタ５３と、制御部５９が第１グループとして設けられており、電話機側には通話路切替部５４と、レベル調整部５５と、電話機接続端子５６が第２グループとして設けられている。これらの第１グループと第２グループは例えばトランスからなるアイソレーション部品６０、及びリレー、フォトカプラ等からなるアイソレーション部品６１の少なくとも一つによって電気的に絶縁されている。
【００２８】
即ち、フィルタ５３と通話路切替部５４、及び子機インターフェース５２と通話路切替部５４はトランスで絶縁されており、また、制御部５９と電話側の回路は例えばフォトカプラまたはリレー等で絶縁されている。
【００２９】
また、トランス式電源回路５７にはトランスが備えられ、トランスには図示していない１つの１次巻線と２つの２次巻線があり、１次巻線は商用電源に、２次巻線の一方はインターホン側の電源に、２次巻線の他方は電話機側の電源に接続されている。
【００３０】
さらに、公衆回線と電話機を接続するための公衆回線接続回路５８ａ、５８ｂは、配線を容易にするためにインターホンアダプタ５の内部を通過するのみであり、図２では簡略化して記載しているが、実際は公衆回線接続回路５８ａはＬ１、Ｌ２の２芯のモジュラージャック、公衆回線接続回路５８ｂはＬ１、Ｌ２、Ｔ、Ｒ、Ｃ、Ｅの６芯のモジュラージャックからなり、Ｌ１、Ｌ２は電気的にインターホンアダプタ５の内部の他の回路と接続されていない。なお、Ｔ、Ｒ、Ｃ、Ｅは電話機接続端子５６に接続されている。
【００３１】
次に、本発明のインターホンシステムの動作について説明する。
【００３２】
まず、正面玄関で来訪者がカメラ付インターホン子機１で呼出操作を行うと、呼出信号がモニタ付居室親機２に送信される。モニタ付居室親機２は、この信号によりモニタ２１に正面玄関の画像を表示するとともに呼出音を報知し、さらに、増設親機接続端子２２、親機インターフェース５１を介してインターホンアダプタ５に正面玄関の映像信号と呼出（音声）信号を増設親機と同一コマンドで送出する。
【００３３】
インターホンアダプタ５の制御部５９は親機インターフェース５１、フィルタ５３を介してこの呼出信号を受信し、フォトカプラを介して出力端子から電話機接続端子５６に呼出信号を送出する。なお、フィルタ５３はモニタ付居室親機２からの映像信号を遮断し、呼出信号のみを通過させる。
【００３４】
電話機４はインターホン入力端子４１から呼出信号を受信すると、電話機４の電話機親機４２及びコードレス電話等の電話機子機４３に呼出音を放音し、正面玄関に来訪者があったことを通知する。
【００３５】
電話機４の電話機親機４２または電話機子機４３で応答ボタンを押下すると、応答信号は呼出信号と逆のルートでインターホンアダプタ５の制御部５９に到達する。インターホンアダプタ５の制御部５９は、親機インターフェース５１に対して増設親機が出す応答信号であるかのようにシミュレートした信号を送信し、モニタ付居室親機２に対してインターホンアダプタ５をあたかも増設親機が応答したかのように動作させる。
【００３６】
このような信号を受信したモニタ付居室親機２は、増設親機が増設親機接続端子２２を介して自身に接続されていると認識するため、応答信号が増設親機からのものであると判断し、カメラ付インターホン子機１とインターホンアダプタ５の通話路を開き、通話開始信号を送出する。
【００３７】
インターホンアダプタ５の制御部５９は通話開始信号を受信すると、通話路切替部５４を親機インターフェース５１側に切り替え、レベル調整部５５で送話音量、受話音量を調整するとともに通話開始信号を送出し、電話機４が通話開始信号を受信することにより、カメラ付インターホン子機１と電話機４との通話が開始される。
【００３８】
なお、通話を終了させる場合は、電話機での終話操作を行うか、またはタイマーによるタイムアップで通話を終了させる。その結果全ての通話路は閉じられる。
【００３９】
次に、勝手口からの来訪者について説明する。
【００４０】
勝手口で来訪者がカメラなしインターホン子機３で呼出操作を行うと、インターホンアダプタ５の制御部５９は子機インターフェース５２を介してこの呼出信号を受信し、例えばフォトカプラを介して電話機接続端子５６に呼出信号を送出する。
【００４１】
電話機４はインターホン入力端子４１から呼出信号を受信すると、電話機４の電話機親機４２及びコードレス電話等の電話機子機４３に呼出音を放音し、勝手口に来訪者があったことを通知する。
【００４２】
電話機４の電話機親機４２または電話機子機４３で応答ボタンを押下すると、応答信号は呼出信号と逆のルートでインターホンアダプタ５の制御部５９に到達する。インターホンアダプタ５の制御部５９は、通話路切替部５４を子機インターフェース５２側に切り替えることによりカメラなしインターホン子機３とインターホンアダプタ５の通話路を開き、通話開始信号を送出する。
【００４３】
また、インターホンアダプタ５の制御部５９は電話機接続端子５６に通話開始信号を送出し、電話機４が通話開始信号を受信することにより、カメラなしインターホン子機３と電話機４との通話が開始される。
【００４４】
なお、通話を終了させる場合は、電話機での終話操作を行うか、またはタイマーによるタイムアップで通話を終了させる。その結果全ての通話路は閉じられる。
【００４５】
これらの動作では、カメラ付インターホン子機１と、モニタ付居室親機２とは全く動作しない。
【００４６】
次に、電話機４からの音声モニタについて説明する。
【００４７】
電話機４から音声モニタ指示信号が送出されると、インターホンアダプタ５の制御部５９は電話機接続端子５６を経由して音声モニタ指示信号を入力端子から受信する。
【００４８】
インターホンアダプタ５の制御部５９は、音声モニタ指示信号が正面玄関に対するものか、勝手口に対するものかを判定し、通話路切替部５４を該当するインターフェース側に切り替えるとともにレベル調整部５５で送話音量、受話音量を調整する。
【００４９】
勝手口に対する音声モニタ指示信号であった場合には、この動作によりカメラなしインターホン子機３とインターホンアダプタ５の通話路を開き、通話開始信号を送出することにより、カメラなしインターホン子機３から電話機４への音声モニタ動作が開始される。
【００５０】
正面玄関に対する音声モニタ指示信号であった場合には、インターホンアダプタ５の制御部５９は親機インターフェース５１に対して増設親機から音声モニタ指示信号が出ているかのようにシミュレートした信号を送信し、モニタ付居室親機２に対してインターホンアダプタ５をあたかも増設親機が音声モニタ指示信号を送出したかのように動作させる。
【００５１】
モニタ付居室親機２は、増設親機が増設親機接続端子２２を介して自身に接続されていると認識するため、音声モニタ指示信号が増設親機からのものであると判断し、カメラ付インターホン子機１とインターホンアダプタ５の通話路を開き、通話開始信号を送出することにより、カメラ付インターホン子機１から電話機４への音声モニタ動作が開始される。
【００５２】
また、カメラ付インターホン子機１かあるいはカメラなしインターホン子機３のどちらか一方のインターホン子機の音声モニタ中に電話機４から他方のインターホン子機の音声モニタ指示信号が送出されると、インターホンアダプタ５の制御部５９は電話機接続端子５６を経由して他方のインターホン子機の音声モニタ指示信号を入力端子から受信し、現在モニタ中の一方のインターホン子機の動作を終了させるとともに、他方のインターホン子機に対して上述の音声モニタ動作を開始することによって、音声モニタ先を切り替えることができる。
【００５３】
なお、本実施の形態では、モニタ付居室親機２は、増設親機が自身に接続されていると認識するため、インターホンアダプタ５からの通話信号が入ると自身のディスプレイを消灯していたが、このような状態では電話機４の通話中に玄関先を確認することができないので、これを解決するために、インターホンアダプタ５から応答信号或いはモニタ要求信号が送出されたときに、モニタ付居室親機２がカメラ付インターホン子機１の撮像中に常に自身のディスプレイを点灯して玄関先の映像を表示するようにしてもよい。
【００５４】
また、本実施の形態では、カメラ付インターホン子機１、カメラなしインターホン子機３は各１台であったが、複数台接続することも差し支えなく、特に台数に制限はない。
【図面の簡単な説明】
【００５５】
【図１】本発明のインターホンシステムの一実施の形態を示すシステム構成図である。
【図２】本発明のインターホンシステムにおけるインターホンアダプタの内部構成を示すブロック図である。
【符号の説明】
【００５６】
１                カメラ付インターホン子機
２                モニタ付居室親機
３                カメラなしインターホン子機
４                電話機
５                インターホンアダプタ
２１                モニタ
２２                増設親機接続端子
４１                インターホン入力端子
５１                親機インターフェース
５２                子機インターフェース
５３                フィルタ
５４                通話路切替部
５５                レベル調整部
５６                電話機接続端子
５７                トランス式電源回路
５８ａ、５８ｂ      公衆回線接続回路
５９                制御部
６０、６１          アイソレーション部品
【図１】
2008219115.tif 000003
【図２】
2008219115.tif 000004